【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
非ルート無線通信デバイス内のサウンディング基準信号（ＳＲＳ）を増強するための方法であって、
前記非ルート無線通信デバイスのための全てのＳＲＳの送信が、遷移サブフレームのアップリンク・パイロットタイムスロット（ＵｐＰＴＳ）部分に起きるであろうと決定することと、
前記ＵｐＰＴＳ部分のための使用可能なアップリンク帯域幅がノーマルアップリンクサブフレームに対して使用可能なアップリンク帯域幅よりも大きいかどうかを決定することと、
前記ＵｐＰＴＳ部分のための前記使用可能なアップリンク帯域幅が、前記ノーマルアップリンクサブフレームのための使用可能なアップリンク帯域幅よりも大きい時、前記ＵｐＰＴＳ部分のための前記使用可能なアップリンク帯域幅を用いて現在のＳＲＳを送信することと、
を備える、方法。
【請求項２】
前記ＵｐＰＴＳ部分のための前記使用可能なアップリンク帯域幅が、前記ノーマルアップリンクサブフレームのための使用可能なアップリンク帯域幅よりも大きくない時、前記ノーマルアップリンクサブフレームのための前記使用可能なアップリンク帯域幅を用いて、前記現在のＳＲＳを送信することをさらに備える請求項１の方法。
【請求項３】
全てのＳＲＳの送信が前記ＵｐＰＴＳ部分に起きるであろうと決定することは、基地局から指示を受信することを備える、請求項１の方法。
【請求項４】
ノーマルアップリンクサブフレームのための前記使用可能なアップリンク帯域幅を受信することをさらに備える、請求項１の方法。
【請求項５】
ノーマルアップリンクサブフレームのための前記使用可能なアップリンク帯域幅は多地点協調（ＣоＭＰ）セット内の複数のセルを占める請求項４の方法。
【請求項６】
遷移サブフレームの前記ＵｐＰＴＳ部分のための前記使用可能なアップリンク帯域幅を受信することをさらに備える請求項１の方法。
【請求項７】
前記ＵｐＰＴＳ部分のための前記使用可能なアップリンク帯域幅は、多地点協調（ＣоＭＰ）セット内の複数のセルを占める、請求項６の方法。
【請求項８】
サービングセルのためのＰＲＡＣＨフォーマット４データに割り当てられたリソースブロックの数の物理ランダムアクセスチャネル（ＰＲＡＣＨ）インジケータを受信することをさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、請求項７の方法。
【請求項９】
サービングセルから前記ＣоＭＰセット内の全てのセルのインジケータを受信することと、
前記ＣоＭＰセット内の各セルのためのＰＲＡＣＨフォーマット４データに割り当てられたリソースブロックの数の別々のＰＲＡＣＨインジケータを受信することと、前記ＰＲＡＣＨインジケータは、前記ＣоＭＰセット内の各セルから受信される、
をさらに備える、請求項７の方法。
【請求項１０】
前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信することをさらに備え、前記インジケータは、前記サービングセルから受信される、請求項７の方法。
【請求項１１】
前記送信することは、前記ＵｐＰＴＳ部分のための前記使用可能なアップリンク帯域幅の端部で動作する無線通信デバイスに前記ＵｐＰＴＳ部分のための使用可能な追加の帯域幅を割り当てることを備える請求項１の方法。
【請求項１２】
非周期性ＳＲＳがトリガされるべきことを示す予約ビットを含むランダムアクセス応答（ＲＡＲ）の許可を受信することをさらに備える請求項１の方法。
【請求項１３】
前記無線通信デバイスのための全てのＳＲＳの送信が前記ＵｐＰＴＳ部分で起きるであろうと前記決定することは、基地局によってサービスされる全ての無線通信デバイスのための全てのＳＲＳの送信が、前記ＵｐＰＴＳ部分に起きるであろうと決定することを備える、請求項１の方法。
【請求項１４】
非ルート無線通信デバイス内のサウンディング基準信号（ＳＲＳ）を増強するための装置であって、
プロセッサと、
前記プロセッサと電子通信するメモリと、
前記メモリに記憶された複数の命令と、を備え、
前記複数の命令は、前記プロセッサにより、
前記非ルート無線通信デバイスのための全てのＳＲＳの送信が、遷移サブフレームのアップリンク・パイロットタイムスロット（ＵｐＰＴＳ）部分に起きるであろうと決定することと、
前記ＵｐＰＴＳ部分のための使用可能なアップリンク帯域幅がノーマルアップリンクサブフレームのための使用可能なアップリンク帯域幅よりも大きいかどうかを決定することと、
前記ＵｐＰＴＳ部分のための前記使用可能なアップリンク帯域幅が、前記ノーマルアップリンクサブフレームのための使用可能なアップリンク帯域幅よりも大きい時、前記ＵｐＰＴＳ部分のための前記使用可能なアップリンク帯域幅を用いて現在のＳＲＳを送信すること、
を実行可能である、装置。
【請求項１５】
前記ＵｐＰＴＳ部分のための前記使用可能なアップリンク帯域幅が、前記ノーマルアップリンクサブフレームのための使用可能なアップリンク帯域幅よりも大きくない時、前記ノーマルアップリンクサブフレームのための前記使用可能なアップリンク帯域幅を用いて、前記現在のＳＲＳを送信することを実行可能である命令をさらに備える、請求項１４の装置。
【請求項１６】
全てのＳＲＳの送信が前記ＵｐＰＴＳ部分に起きるであろうと決定することを実行可能な前記命令は、基地局からの指示を受信することを実行可能な命令を備える、請求項１４の装置。
【請求項１７】
ノーマルアップリンクサブフレームのための前記使用可能なアップリンク帯域幅を受信することを実行可能な命令をさらに備える、請求項１４の装置。
【請求項１８】
ノーマルアップリンクサブフレームのための前記使用可能なアップリンク帯域幅は多地点協調（ＣоＭＰ）セット内の複数のセルを占める請求項１７の装置。
【請求項１９】
遷移サブフレームの前記ＵｐＰＴＳ部分のための前記使用可能なアップリンク帯域幅の受信することを実行可能な命令をさらに備える、請求項１４の装置。
【請求項２０】
前記ＵｐＰＴＳ部分のための前記使用可能なアップリンク帯域幅が、多地点協調（ＣоＭＰ）セット内の複数のセルを占める、請求項１９の装置。
【請求項２１】
サービングセルのためのＰＲＡＣＨフォーマット４データに割り当てられたリソースブロックの数の物理ランダムアクセスチャネル（ＰＲＡＣＨ）インジケータの受信することを実行可能な命令をさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、請求項２０の装置。
【請求項２２】
サービングセルから前記ＣоＭＰセット内の全てのセルのインジケータを受信することと、
前記ＣоＭＰセット内の各セルのためのＰＲＡＣＨフォーマット４データに割り当てられたリソースブロックの数の別々のＰＲＡＣＨインジケータを受信することと、
を実行可能である命令をさらに備え、
前記ＰＲＡＣＨインジケータは、前記ＣоＭＰセット内の各セルから受信される、請求項２０の装置。
【請求項２３】
前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信することを実行可能な命令をさらに備え、
前記インジケータは、前記サービングセルから受信される、請求項２０の装置。
【請求項２４】
送信することを実行可能な前記命令は、前記ＵｐＰＴＳ部分のための前記使用可能なアップリンク帯域幅の端部で動作する無線通信デバイスに前記ＵｐＰＴＳ部分のための使用可能な追加の帯域幅を割り当てることを実行可能な命令を備える請求項１４の装置。
【請求項２５】
非周期性ＳＲＳがトリガされるべきことを示す予約ビットを含むランダムアクセス応答（ＲＡＲ）の許可を受信することを実行可能な命令をさらに備える請求項１４の装置。
【請求項２６】
前記無線通信デバイスのための全てのＳＲＳの送信が前記ＵｐＰＴＳ部分で起きるであろうと決定することを実行可能な前記命令は、基地局によってサービスされる全ての無線通信デバイスのための全てのＳＲＳの送信が、前記ＵｐＰＴＳ部分に起きるであろうと決定することを実行可能な命令を備える、請求項１４の装置。
【請求項２７】
非ルート無線通信デバイス内のサウンディング基準信号（ＳＲＳ）を増強するための装置であって、
前記非ルート無線通信デバイスのための全てのＳＲＳの送信が、遷移サブフレームのアップリンク・パイロットタイムスロット（ＵｐＰＴＳ）部分に起きるであろうと決定するための手段と、
前記ＵｐＰＴＳ部分のための使用可能なアップリンク帯域幅がノーマルアップリンクサブフレームに対して使用可能なアップリンク帯域幅よりも大きいかどうかを決定するための手段と、
前記ＵｐＰＴＳ部分のための前記使用可能なアップリンク帯域幅が、前記ノーマルアップリンクサブフレームのための使用可能なアップリンク帯域幅よりも大きい時、前記ＵｐＰＴＳ部分のいための前記使用可能なアップリンク帯域幅を用いて現在のＳＲＳを送信するための手段と、
を備える、装置。
【請求項２８】
前記ＵｐＰＴＳ部分のための前記使用可能なアップリンク帯域幅が、前記ノーマルアップリンクサブフレームのための使用可能なアップリンク帯域幅よりも大きくない時、前記ノーマルアップリンクサブフレームのための前記使用可能なアップリンク帯域幅を用いて、前記現在のＳＲＳを送信するための手段をさらに備える、請求項２７の装置。
【請求項２９】
全てのＳＲＳの送信が前記ＵｐＰＴＳ部分に起きるであろうと決定するための手段は、基地局から指示を受信するための手段を備える、請求項２７の装置。
【請求項３０】
ノーマルアップリンクサブフレームのための前記使用可能なアップリンク帯域幅の受信するための手段をさらに備える、請求項２７の装置。
【請求項３１】
ノーマルアップリンクサブフレームのための前記使用可能なアップリンク帯域幅は多地点協調（ＣоＭＰ）セット内の複数のセルを占める請求項２８の装置。
【請求項３２】
遷移サブフレームの前記ＵｐＰＴＳ部分のための前記使用可能なアップリンク帯域幅を受信するための手段をさらに備える、請求項２７の装置。
【請求項３３】
前記ＵｐＰＴＳ部分のための前記使用可能なアップリンク帯域幅は、多地点協調（ＣоＭＰ）セット内の複数のセルを占める、請求項３２の装置。
【請求項３４】
サービングセルのためのＰＲＡＣＨフォーマット４データに割り当てられたリソースブロックの数の物理ランダムアクセスチャネル（ＰＲＡＣＨ）インジケータを受信するための手段をさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、請求項３３の装置。
【請求項３５】
サービングセルから前記ＣоＭＰセット内の全てのセルのインジケータを受信するための手段と、
前記ＣоＭＰセット内の各セルのためのＰＲＡＣＨフォーマット４データに割り当てられたリソースブロックの数の別々のＰＲＡＣＨインジケータを受信するための手段と、前記ＰＲＡＣＨインジケータは、前記ＣоＭＰセット内の各セルから受信される、
をさらに備える請求項３３の装置。
【請求項３６】
前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信するための手段をさらに備え、
前記インジケータは、前記サービングセルから受信される、請求項３３の装置。
【請求項３７】
送信するための手段は、前記ＵｐＰＴＳ部分のための前記使用可能なアップリンク帯域幅の端部で動作する無線通信デバイスに前記ＵｐＰＴＳ部分のための使用可能な追加の帯域幅を割り当てるための手段を備える請求項２７の装置。
【請求項３８】
非周期性ＳＲＳがトリガされるべきことを示す予約ビットを含むランダムアクセス応答（ＲＡＲ）の許可を受信するための手段さらに備える請求項２７の装置。
【請求項３９】
前記無線通信デバイスのための全てのＳＲＳの送信が前記ＵｐＰＴＳ部分で起きるであろうと決定するための手段は、基地局によってサービスされる全ての無線通信デバイスのための全てのＳＲＳの送信が、前記ＵｐＰＴＳ部分に起きるであろうと決定するための手段を備える、請求項２７の装置。
【請求項４０】
複数の命令を有する非一時的コンピュータ可読媒体を備える、非ルート無線通信デバイス内のサウンディング基準信号（ＳＲＳ）を増強するためのコンピュータ・プログラム・プロダクトであって、前記命令は、
前記非ルート無線通信デバイスに、前記無線通信デバイスのための全てのＳＲＳの送信が、遷移サブフレームのアップリンク・パイロットタイムスロット（ＵｐＰＴＳ）部分に起きるであろうと決定させるためのコードと、
前記無線通信デバイスに、前記ＵｐＰＴＳ部分のための使用可能なアップリンク帯域幅がノーマルアップリンクサブフレームのための使用可能なアップリンク帯域幅よりも大きいかどうかを決定させるためのコードと、
前記無線通信デバイスに、前記ＵｐＰＴＳ部分のための前記使用可能なアップリンク帯域幅が、前記ノーマルアップリンクサブフレームに対して使用可能なアップリンク帯域幅よりも大きい時、前記ＵｐＰＴＳ部分のための前記使用可能なアップリンク帯域幅を用いて現在のＳＲＳを送信させるためのコードと、
を備える、コンピュータ・プログラム・プロダクト。
【請求項４１】
前記ＵｐＰＴＳ部分ための前記使用可能なアップリンク帯域幅が、前記ノーマルアップリンクサブフレームのための使用可能なアップリンク帯域幅よりも大きくない時、前記無線通信デバイスに、前記ノーマルアップリンクサブフレームのための前記使用可能なアップリンク帯域幅を用いて、前記現在のＳＲＳを送信させるためのコードをさらに備える、請求項４０のコンピュータ・プログラム・プロダクト。
【請求項４２】
前記無線通信デバイスに、全てのＳＲＳの送信が前記ＵｐＰＴＳ部分に起きるであろうと決定させるためのコードは、前記無線通信デバイスに、基地局からの指示を受信させるためのコードを備える、請求項４０のコンピュータ・プログラム・プロダクト。
【請求項４３】
前記無線通信デバイスに、ノーマルアップリンクサブフレームのための前記使用可能なアップリンク帯域幅を受信させるためのコードをさらに備える、請求項４０のコンピュータ・プログラム・プロダクト。
【請求項４４】
ノーマルアップリンクサブフレームのための前記使用可能なアップリンク帯域幅は多地点協調（ＣоＭＰ）セット内の複数のセルを占める請求項４３のコンピュータ・プログラム・プロダクト。
【請求項４５】
前記無線通信デバイスに、遷移サブフレームの前記ＵｐＰＴＳ部分のための前記使用可能なアップリンク帯域幅を受信させるためのコードをさらに備える、請求項４０のコンピュータ・プログラム・プロダクト。
【請求項４６】
前記ＵｐＰＴＳ部分のための前記使用可能なアップリンク帯域幅が、多地点協調（ＣоＭＰ）セット内の複数のセルを占める、請求項４５のコンピュータ・プログラム・プロダクト。
【請求項４７】
前記無線通信デバイスに、サービングセルのためのＰＲＡＣＨフォーマット４データに割り当てられたリソースブロックの数の物理ランダムアクセスチャネル（ＰＲＡＣＨ）インジケータを受信させるためのコードをさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、請求項４６のコンピュータ・プログラム・プロダクト。
【請求項４８】
前記無線通信デバイスに、サービングセルから前記ＣоＭＰセット内の全てのセルのインジケータを受信させるためのコードと、
前記無線通信デバイスに、前記ＣоＭＰセット内の各セルに対するＰＲＡＣＨフォーマット４データに割り当てられたリソースブロックの数の別々のＰＲＡＣＨインジケータを受信させるためのコードと、
をさらに備え、
前記ＰＲＡＣＨインジケータは、前記ＣоＭＰセット内の各セルから受信される、請求項４６のコンピュータ・プログラム・プロダクト。
【請求項４９】
前記無線通信デバイスに、前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信させるためのコードをさらに備え、
前記インジケータは、前記サービングセルから受信される、請求項４６のコンピュータ・プログラム・プロダクト。
【請求項５０】
前記無線通信デバイスに送信させるための前記コードは、前記無線通信デバイスに、前記ＵｐＰＴＳ部分のための前記使用可能なアップリンク帯域幅の端部で動作する無線通信デバイスに前記ＵｐＰＴＳ部分のための使用可能な追加の帯域幅を割り当てさせるためのコードを備える請求項４０のコンピュータ・プログラム・プロダクト。
【請求項５１】
前記無線通信デバイスに、非周期性ＳＲＳがトリガされるべきことを示す予約ビットを含むランダムアクセス応答（ＲＡＲ）の許可を受信させるためのコードをさらに備える請求項４０のコンピュータ・プログラム・プロダクト。
【請求項５２】
前記無線通信デバイスに、前記無線通信デバイスのための全てのＳＲＳの送信が前記ＵｐＰＴＳ部分で起きるであろうと決定させるための前記コードは、前記無線通信に、基地局によってサービスされる全ての無線通信デバイスのための全てのＳＲＳの送信が、前記ＵｐＰＴＳ部分に起きるであろうと決定させるためのコードを備える、請求項４０のコンピュータ・プログラム・プロダクト。
【手続補正２】
【補正対象書類名】明細書
【補正対象項目名】００７１
【補正方法】変更
【補正の内容】
【００７１】
[0071]請求項は上述された明確な構成及びコンポーネントに限定されないと理解されるべきである。様々な修正、変更、及びバリエーションは、請求項の範囲から逸脱することなく、ここに記載されたシステム、方法、及び装置の配置、オペレーション、及び詳細において行われることができる。
以下に本願発明の当初の特許請求の範囲に記載された発明を付記する。
［１］  非ルート無線通信デバイス内のサウンディング基準信号（ＳＲＳ）を増強するための方法であって、前記無線通信デバイスのための全てのＳＲＳの送信が、遷移サブフレームのアップリンク・パイロットタイムスロット（ＵｐＰＴＳ）部分に起きるであろうと決定することと、前記ＵｐＰＴＳ部分のための使用可能なアップリンク帯域幅がノーマルアップリンクサブフレームに対して使用可能なアップリンク帯域幅よりも大きいかどうかを決定することと、前記ＵｐＰＴＳ部分のための前記使用可能なアップリンク帯域幅が、前記ノーマルアップリンクサブフレームのための使用可能なアップリンク帯域幅よりも大きい時、前記ＵｐＰＴＳ部分のための前記使用可能なアップリンク帯域幅を用いて現在のＳＲＳを送信することと、を備える、方法。
［２］  前記ＵｐＰＴＳ部分のための前記使用可能なアップリンク帯域幅が、前記ノーマルアップリンクサブフレームのための使用可能なアップリンク帯域幅よりも大きくない時、前記ノーマルアップリンクサブフレームのための前記使用可能なアップリンク帯域幅を用いて、前記現在のＳＲＳを送信することをさらに備える［１］の方法。
［３］  全てのＳＲＳの送信が前記ＵｐＰＴＳ部分に起きるであろうと決定することは、基地局から指示を受信することを備える、［１］の方法。
［４］  ノーマルアップリンクサブフレームのための前記使用可能なアップリンク帯域幅を受信することをさらに備える、［１］の方法。
［５］  ノーマルアップリンクサブフレームのための前記使用可能なアップリンク帯域幅は多地点協調（ＣоＭＰ）セット内の複数のセルを占める［４］の方法。
［６］  遷移サブフレームの前記ＵｐＰＴＳ部分のための前記使用可能なアップリンク帯域幅を受信することをさらに備える［１］の方法。
［７］  前記ＵｐＰＴＳ部分のための前記使用可能なアップリンク帯域幅は、多地点協調（ＣоＭＰ）セット内の複数のセルを占める、［６］の方法。
［８］  サービングセルのためのＰＲＡＣＨフォーマット４データに割り当てられたリソースブロックの数の物理ランダムアクセスチャネル（ＰＲＡＣＨ）インジケータを受信することをさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、［７］の方法。
［９］  サービングセルから前記ＣоＭＰセット内の全てのセルのインジケータを受信することと、前記ＣоＭＰセット内の各セルのためのＰＲＡＣＨフォーマット４データに割り当てられたリソースブロックの数の別々のＰＲＡＣＨインジケータを受信することと、前記ＰＲＡＣＨインジケータは、前記ＣоＭＰセット内の各セルから受信される、をさらに備える、［７］の方法。
［１０］  前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信することをさらに備え、前記インジケータは、前記サービングセルから受信される、［７］の方法。
［１１］  前記送信することは、前記ＵｐＰＴＳ部分のための前記使用可能なアップリンク帯域幅の端部で動作する無線通信デバイスに前記ＵｐＰＴＳ部分のための使用可能な追加の帯域幅を割り当てることを備える［１］の方法。
［１２］  非周期性ＳＲＳがトリガされるべきことを示す予約ビットを含むランダムアクセス応答（ＲＡＲ）の許可を受信することをさらに備える［１］の方法。
［１３］  前記無線通信デバイスのための全てのＳＲＳの送信が前記ＵｐＰＴＳ部分で起きるであろうと前記決定することは、基地局によってサービスされる全ての無線通信デバイスのための全てのＳＲＳの送信が、前記ＵｐＰＴＳ部分に起きるであろうと決定することを備える、［１］の方法。
［１４］  非ルート無線通信デバイス内のサウンディング基準信号（ＳＲＳ）を増強するための装置であって、プロセッサと、前記プロセッサと電子通信するメモリと、前記メモリに記憶された複数の命令と、を備え、前記複数の命令は、前記プロセッサにより、前記無線通信デバイスのための全てのＳＲＳの送信が、遷移サブフレームのアップリンク・パイロットタイムスロット（ＵｐＰＴＳ）部分に起きるであろうと決定することと、前記ＵｐＰＴＳ部分のための使用可能なアップリンク帯域幅がノーマルアップリンクサブフレームのための使用可能なアップリンク帯域幅よりも大きいかどうかを決定することと、前記ＵｐＰＴＳ部分のための前記使用可能なアップリンク帯域幅が、前記ノーマルアップリンクサブフレームのための使用可能なアップリンク帯域幅よりも大きい時、前記ＵｐＰＴＳ部分のための前記使用可能なアップリンク帯域幅を用いて現在のＳＲＳを送信すること、を実行可能である、装置。
［１５］  前記ＵｐＰＴＳ部分のための前記使用可能なアップリンク帯域幅が、前記ノーマルアップリンクサブフレームのための使用可能なアップリンク帯域幅よりも大きくない時、前記ノーマルアップリンクサブフレームのための前記使用可能なアップリンク帯域幅を用いて、前記現在のＳＲＳを送信することを実行可能である命令をさらに備える、［１４］の装置。
［１６］  全てのＳＲＳの送信が前記ＵｐＰＴＳ部分に起きるであろうと決定することを実行可能な前記命令は、基地局からの指示を受信することを実行可能な命令を備える、［１４］の装置。
［１７］  ノーマルアップリンクサブフレームのための前記使用可能なアップリンク帯域幅を受信することを実行可能な命令をさらに備える、［１４］の装置。
［１８］  ノーマルアップリンクサブフレームのための前記使用可能なアップリンク帯域幅は多地点協調（ＣоＭＰ）セット内の複数のセルを占める［１７］の装置。
［１９］  遷移サブフレームの前記ＵｐＰＴＳ部分のための前記使用可能なアップリンク帯域幅の受信することを実行可能な命令をさらに備える、［１４］の装置。
［２０］  前記ＵｐＰＴＳ部分のための前記使用可能なアップリンク帯域幅が、多地点協調（ＣоＭＰ）セット内の複数のセルを占める、［１９］の装置。
［２１］  サービングセルのためのＰＲＡＣＨフォーマット４データに割り当てられたリソースブロックの数の物理ランダムアクセスチャネル（ＰＲＡＣＨ）インジケータの受信することを実行可能な命令をさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、［２０］の装置。
［２２］  サービングセルから前記ＣоＭＰセット内の全てのセルのインジケータを受信することと、前記ＣоＭＰセット内の各セルのためのＰＲＡＣＨフォーマット４データに割り当てられたリソースブロックの数の別々のＰＲＡＣＨインジケータを受信することと、を実行可能である命令をさらに備え、前記ＰＲＡＣＨインジケータは、前記ＣоＭＰセット内の各セルから受信される、請求項［２０］の装置。
［２３］  前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信することを実行可能な命令をさらに備え、前記インジケータは、前記サービングセルから受信される、［２０］の装置。
［２４］  送信することを実行可能な前記命令は、前記ＵｐＰＴＳ部分のための前記使用可能なアップリンク帯域幅の端部で動作する無線通信デバイスに前記ＵｐＰＴＳ部分のための使用可能な追加の帯域幅を割り当てることを実行可能な命令を備える［１４］の装置。
［２５］  非周期性ＳＲＳがトリガされるべきことを示す予約ビットを含むランダムアクセス応答（ＲＡＲ）の許可を受信することを実行可能な命令をさらに備える［１４］の装置。
［２６］  前記無線通信デバイスのための全てのＳＲＳの送信が前記ＵｐＰＴＳ部分で起きるであろうと決定することを実行可能な前記命令は、基地局によってサービスされる全ての無線通信デバイスのための全てのＳＲＳの送信が、前記ＵｐＰＴＳ部分に起きるであろうと決定することを実行可能な命令を備える、［１４］の装置。
［２７］  非ルート無線通信デバイス内のサウンディング基準信号（ＳＲＳ）を増強するための装置であって、前記無線通信デバイスのための全てのＳＲＳの送信が、遷移サブフレームのアップリンク・パイロットタイムスロット（ＵｐＰＴＳ）部分に起きるであろうと決定するための手段と、前記ＵｐＰＴＳ部分のための使用可能なアップリンク帯域幅がノーマルアップリンクサブフレームに対して使用可能なアップリンク帯域幅よりも大きいかどうかを決定するための手段と、前記ＵｐＰＴＳ部分のための前記使用可能なアップリンク帯域幅が、前記ノーマルアップリンクサブフレームのための使用可能なアップリンク帯域幅よりも大きい時、前記ＵｐＰＴＳ部分のいための前記使用可能なアップリンク帯域幅を用いて現在のＳＲＳを送信するための手段と、を備える、装置。
［２８］  前記ＵｐＰＴＳ部分のための前記使用可能なアップリンク帯域幅が、前記ノーマルアップリンクサブフレームのための使用可能なアップリンク帯域幅よりも大きくない時、前記ノーマルアップリンクサブフレームのための前記使用可能なアップリンク帯域幅を用いて、前記現在のＳＲＳを送信するための手段をさらに備える、［２７］の装置。
［２９］  全てのＳＲＳの送信が前記ＵｐＰＴＳ部分に起きるであろうと決定するための手段は、基地局から指示を受信するための手段を備える、［２７］の装置。
［３０］  ノーマルアップリンクサブフレームのための前記使用可能なアップリンク帯域幅の受信するための手段をさらに備える、［２７］の装置。
［３１］  ノーマルアップリンクサブフレームのための前記使用可能なアップリンク帯域幅は多地点協調（ＣоＭＰ）セット内の複数のセルを占める［２８］の装置。
［３２］  遷移サブフレームの前記ＵｐＰＴＳ部分のための前記使用可能なアップリンク帯域幅を受信するための手段をさらに備える、［２７］の装置。
［３３］  前記ＵｐＰＴＳ部分のための前記使用可能なアップリンク帯域幅は、多地点協調（ＣоＭＰ）セット内の複数のセルを占める、［３２］の装置。
［３４］  サービングセルのためのＰＲＡＣＨフォーマット４データに割り当てられたリソースブロックの数の物理ランダムアクセスチャネル（ＰＲＡＣＨ）インジケータを受信するための手段をさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、［３３］の装置。
［３５］  サービングセルから前記ＣоＭＰセット内の全てのセルのインジケータを受信するための手段と、前記ＣоＭＰセット内の各セルのためのＰＲＡＣＨフォーマット４データに割り当てられたリソースブロックの数の別々のＰＲＡＣＨインジケータを受信するための手段と、前記ＰＲＡＣＨインジケータは、前記ＣоＭＰセット内の各セルから受信される、をさらに備える［３３］の装置。
［３６］  前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信するための手段をさらに備え、前記インジケータは、前記サービングセルから受信される、［３３］の装置。
［３７］  送信するための手段は、前記ＵｐＰＴＳ部分のための前記使用可能なアップリンク帯域幅の端部で動作する無線通信デバイスに前記ＵｐＰＴＳ部分のための使用可能な追加の帯域幅を割り当てるための手段を備える［２７］の装置。
［３８］  非周期性ＳＲＳがトリガされるべきことを示す予約ビットを含むランダムアクセス応答（ＲＡＲ）の許可を受信するための手段さらに備える［２７］の装置。
［３９］  前記無線通信デバイスのための全てのＳＲＳの送信が前記ＵｐＰＴＳ部分で起きるであろうと決定するための手段は、基地局によってサービスされる全ての無線通信デバイスのための全てのＳＲＳの送信が、前記ＵｐＰＴＳ部分に起きるであろうと決定するための手段を備える、［２７］の装置。
［４０］  複数の命令を有する非一時的コンピュータ可読媒体を備える、非ルート無線通信デバイス内のサウンディング基準信号（ＳＲＳ）を増強するためのコンピュータ・プログラム・プロダクトであって、前記命令は、前記無線通信デバイスに、前記無線通信デバイスのための全てのＳＲＳの送信が、遷移サブフレームのアップリンク・パイロットタイムスロット（ＵｐＰＴＳ）部分に起きるであろうと決定させるためのコードと、前記無線通信デバイスに、前記ＵｐＰＴＳ部分のための使用可能なアップリンク帯域幅がノーマルアップリンクサブフレームのための使用可能なアップリンク帯域幅よりも大きいかどうかを決定させるためのコードと、前記無線通信デバイスに、前記ＵｐＰＴＳ部分のための前記使用可能なアップリンク帯域幅が、前記ノーマルアップリンクサブフレームに対して使用可能なアップリンク帯域幅よりも大きい時、前記ＵｐＰＴＳ部分のための前記使用可能なアップリンク帯域幅を用いて現在のＳＲＳを送信させるためのコードと、を備える、コンピュータ・プログラム・プロダクト。
［４１］  前記ＵｐＰＴＳ部分ための前記使用可能なアップリンク帯域幅が、前記ノーマルアップリンクサブフレームのための使用可能なアップリンク帯域幅よりも大きくない時、前記無線通信デバイスに、前記ノーマルアップリンクサブフレームのための前記使用可能なアップリンク帯域幅を用いて、前記現在のＳＲＳを送信させるためのコードをさらに備える、［４０］のコンピュータ・プログラム・プロダクト。
［４２］  前記無線通信デバイスに、全てのＳＲＳの送信が前記ＵｐＰＴＳ部分に起きるであろうと決定させるためのコードは、前記無線通信デバイスに、基地局からの指示を受信させるためのコードを備える、［４０］のコンピュータ・プログラム・プロダクト。
［４３］  前記無線通信デバイスに、ノーマルアップリンクサブフレームにのための前記使用可能なアップリンク帯域幅を受信させるためのコードをさらに備える、［４０］のコンピュータ・プログラム・プロダクト。
［４４］  ノーマルアップリンクサブフレームのための前記使用可能なアップリンク帯域幅は多地点協調（ＣоＭＰ）セット内の複数のセルを占める［４３］のコンピュータ・プログラム・プロダクト。
［４５］  前記無線通信デバイスに、遷移サブフレームの前記ＵｐＰＴＳ部分のための前記使用可能なアップリンク帯域幅を受信させるためのコードをさらに備える、［４０］のコンピュータ・プログラム・プロダクト。
［４６］  前記ＵｐＰＴＳ部分のための前記使用可能なアップリンク帯域幅が、多地点協調（ＣоＭＰ）セット内の複数のセルを占める、［４５］のコンピュータ・プログラム・プロダクト。
［４７］  前記無線通信デバイスに、サービングセルのためのＰＲＡＣＨフォーマット４データに割り当てられたリソースブロックの数の物理ランダムアクセスチャネル（ＰＲＡＣＨ）インジケータを受信させるためのコードをさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、［４６］のコンピュータ・プログラム・プロダクト。
［４８］  前記無線通信デバイスに、サービングセルから前記ＣоＭＰセット内の全てのセルのインジケータを受信させるためのコードと、前記無線通信デバイスに、前記ＣоＭＰセット内の各セルに対するＰＲＡＣＨフォーマット４データに割り当てられたリソースブロックの数の別々のＰＲＡＣＨインジケータを受信させるためのコードと、をさらに備え、前記ＰＲＡＣＨインジケータは、前記ＣоＭＰセット内の各セルから受信される、［４６］のコンピュータ・プログラム・プロダクト。
［４９］  前記無線通信デバイスに、前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信させるためのコードをさらに備え、前記インジケータは、前記サービングセルから受信される、［４６］のコンピュータ・プログラム・プロダクト。
［５０］  前記無線通信デバイスに送信させるための前記コードは、前記無線通信デバイスに、前記ＵｐＰＴＳ部分のための前記使用可能なアップリンク帯域幅の端部で動作する無線通信デバイスに前記ＵｐＰＴＳ部分のための使用可能な追加の帯域幅を割り当てさせるためのコードを備える［４０］のコンピュータ・プログラム・プロダクト。
［５１］  前記無線通信デバイスに、非周期性ＳＲＳがトリガされるべきことを示す予約ビットを含むランダムアクセス応答（ＲＡＲ）の許可を受信させるためのコードをさらに備える［４０］のコンピュータ・プログラム・プロダクト。
［５２］  前記無線通信デバイスに、前記無線通信デバイスのための全てのＳＲＳの送信が前記ＵｐＰＴＳ部分で起きるであろうと決定させるための前記コードは、前記無線通信に、基地局によってサービスされる全ての無線通信デバイスのための全てのＳＲＳの送信が、前記ＵｐＰＴＳ部分に起きるであろうと決定させるためのコードを備える、［４０］のコンピュータ・プログラム・プロダクト。